(57)【要約】【課題】遮光板を設置する際の位置調整及び設置したあとの設置状態の維持が容易で、隣接する投射画像を滑らかに接続可能とする。【解決手段】複数のプロジェクタ（ＰＪ１〜ＰＪ３とする）から投射される投射画像のうち隣接する投射画像の一部に重なり領域を有するように前記複数のプロジェクタからの投射画像をスクリーンのＳＣＲの投射面１０に投射するマルチディスプレイシステムであって、前記複数のプロジェクタのうち最も外側に設置された各プロジェクタＰＪ１，ＰＪ３の投射光学系から前記投射面１０への各垂線Ｑ１，Ｑ３間で、かつ、前記重なり領域に、複数の遮光板ＳＧを前記投射面１０に接触した状態で周期的に設ける。【選択図】図５
2008040380.tif 000002
【特許請求の範囲】
【請求項１】
複数のプロジェクタから投射される投射画像のうち隣接する投射画像の一部に重なり領域を有するように前記複数のプロジェクタからの投射画像をスクリーンの投射面に投射するマルチディスプレイシステムであって、
前記複数のプロジェクタのうち最も外側に設置された各プロジェクタの投射光学系から前記投射面への各垂線間で、かつ、前記重なり領域に、複数の遮光板を前記投射面に接触した状態で周期的に設けたことを特徴とするマルチディスプレイシステム。
【請求項２】
請求項１に記載のマルチディスプレイシステムにおいて、
前記複数の各遮光板における遮光に寄与する端点のうち前記投射面から前記垂線に沿った方向において最遠の端点と前記投射面との間の距離を遮光板有効高さＨとし、
前記複数の遮光板の隣り合う遮光板において各遮光板における遮光に寄与する端点のうち前記投射面から前記垂線に沿った方向において最遠の端点間の距離を有効開口長Ｐとしたとき、
前記遮光板有効高さＨ及び前記有効開口長Ｐは、
前記プロジェクタと前記投射面との間の距離がＤ、前記複数のプロジェクタの設置間隔がＬである場合、Ｄ／Ｌ＝Ｈ／Ｐの関係が得られるように設定されることを特徴とするマルチディスプレイシステム。
【請求項３】
請求項２記載のマルチディスプレイシステムにおいて、
前記複数のプロジェクタからの投射画像が前記投射面上でマトリクス状に配置される場合、前記遮光板は、格子状に配列されることを特徴とするマルチディスプレイシステム。
【請求項４】
請求項３に記載のマルチディスプレイシステムにおいて、
前記格子状に配列された遮光板の横方向に周期的に設けられる遮光板の前記遮光板有効高さと縦方向に周期的に設けられる遮光板の前記遮光板有効高さとを等しくすることを特徴とするマルチディスプレイシステム。
【請求項５】
請求項１〜４のいずれかに記載のマルチディスプレイシステムにおいて、
前記重なり領域が前記隣接する投射画像との間で各投射画像の５０％以上に設定されている場合、前記複数のプロジェクタのうち最も外側に設置された各プロジェクタを除くプロジェクタからの投射画像の表示を、前記各垂線間のみに制限する投射画像表示制限を行うことを特徴とするマルチディスプレイシステム。
【請求項６】
請求項５に記載のマルチディスプレイシステムにおいて、
前記投射画像表示制限は、前記各垂線間に設けられる遮光板の中で最も外側に設置される遮光板の前記遮光板有効高さを他の遮光板よりも高くすることによって行うことを特徴とするマルチディスプレイシステム。
【請求項７】
請求項５に記載のマルチディスプレイシステムにおいて、
前記投射画像の表示制限は、画像処理によって前記各垂線間よりも外側に投射画像が表示されないように制限することを特徴とするマルチディスプレイシステム。
【請求項８】
複数のプロジェクタから投射される投射画像のうち隣接する投射画像の一部に重なり領域を有するように前記複数のプロジェクタからの投射画像をスクリーンの投射面に投射するマルチディスプレイシステムであって、
前記複数のプロジェクタのうち最も外側に設置された各プロジェクタの投射光学系から前記投射面への各垂線間内で、かつ、前記重なり領域に、複数の遮光板を前記投射面から所定の間隙を有して周期的に設けたことを特徴とするマルチディスプレイシステム。
【請求項９】
請求項８に記載のマルチディスプレイシステムにおいて、
前記複数の各遮光板における遮光に寄与する端点のうち前記投射面から前記垂線に沿った方向において最遠の端点と前記投射面との間の距離を遮光板有効高さＨとし、
前記複数の遮光板の隣り合う遮光板において各遮光板における遮光に寄与する端点のうち前記投射面から前記垂線に沿った方向において最遠の端点間の距離を有効開口長Ｐとしたとき、
前記遮光板有効高さＨ及び前記有効開口長Ｐは、
前記プロジェクタと前記投射面との間の距離がＤ、前記複数のプロジェクタの設置間隔がＬである場合、Ｄ／Ｌ＝Ｈ／Ｐの関係が得られるように設定され、
かつ、前記遮光板の前記投射面に対向する端面と前記投射面との間隙をｄ、前記遮光板の前記投射面に対向する端面の前記投射面に沿う方向の寸法を遮光板有効厚さｔとしたとき、前記間隙ｄ及び遮光板有効厚さｔは、
前記プロジェクタと前記投射面との間の距離がＤ、前記複数のプロジェクタの設置間隔がＬである場合、Ｄ／Ｌ＝ｄ／ｔの関係が得られるように設定されることを特徴とするマルチディスプレイシステム。
【請求項１０】
複数のプロジェクタから投射される投射画像のうち隣接する投射画像の一部に重なり領域を有するように前記複数のプロジェクタからの投射画像をスクリーンの投射面に投射するマルチディスプレイシステムに用いられる遮光装置であって、
複数の遮光板を有し、前記複数の遮光板が、前記複数のプロジェクタのうち最も外側に設置された各プロジェクタの投射光学系から前記投射面への各垂線間で、かつ、前記重なり領域に前記投射面に接触した状態で周期的に設けられることを特徴とするマルチディスプレイシステムに用いられる遮光装置。
【請求項１１】
複数のプロジェクタから投射される投射画像のうち隣接する投射画像の一部に重なり領域を有するように前記複数のプロジェクタからの投射画像をスクリーンの投射面に投射するマルチディスプレイシステムに用いられる遮光装置であって、
複数の遮光板を有し、前記複数の遮光板が、前記複数のプロジェクタのうち最も外側に設置された各プロジェクタの投射光学系から前記投射面への各垂線間で、かつ、前記重なり領域に前記投射面から所定の間隙を有して周期的に設けられることを特徴とするマルチディスプレイシステムに用いられる遮光装置。
【発明の詳細な説明】
【技術分野】
【０００１】
本発明は複数のプロジェクタを用いて１つの画像を表示するマルチディスプレイシステム及びマルチディスプレイシステムに用いられる遮光装置に関する。
【背景技術】
【０００２】
大画面、高輝度、高解像度は、ディスプレイに対して常に求められる特性である。しかし、これを単体のディスプレイで実現することは非常に困難である。例えば、大画面化は、そのディスプレイを構成する部品や製造装置による限界がある。高輝度化は、そのディスプレイの表示原理による限界がある。また、過度の高輝度化は、寿命や信頼性に重大な影響を及ぼす。また、高解像度化は、非常に精密な加工が要求され、ディスプレイの製造の困難さだけでなく、歩留まりに重大な影響を及ぼす。
【０００３】
これを解決する手段として、複数のディスプレイ装置を用いて、１つの表示を行う方法がある。これは比較的容易に大画面化、高輝度化、高解像度化を達成することが可能な方法である。
【０００４】
複数のディスプレイを用いて１つの表示を行う方法において用いられるマルチディスプレイ装置は、大別して２種類が考えられる。その一つはＣＲＴディスプレイや液晶パネル型ディスプレイ、プラズマディスプレイなどの直視型ディスプレイであり、もう一つは、スクリーンなどへ表示画像を投射するプロジェクタを用いた投射型ディスプレイである。
【０００５】
直視型ディスプレイ装置を複数用いて大画面表示を行う際には、その表示面の大きさが固定されているために、それらを単に密に並べるだけである。この場合、表示面は物理的に大きさが定まっており、それを並べて固定してしまえば、その状態は安定して維持され、安定した大画面画像を得ることが可能となる。しかし、このようなディスプレイ装置を用いる場合、面積あたりの輝度はある程度固定されたものとなり、また、ディスプレイ装置間の境界が目立ってしまうことが大きな課題でもある。
【０００６】
これに対し、投射型ディスプレイを用いる方法は、自由度が高く様々な表示を実現することができるという利点がある。例えば、１台のディスプレイ装置（プロジェクタとする）の表示面積を変化させることにより、容易に表示輝度を変化させることができる。また、プロジェクタの台数を変化させることにより、容易に解像度を変化させることができる。これらを組み合わせることにより、求められる画面サイズ、求められる輝度、求められる解像度に対して、極めて柔軟に対応することが可能である。
【０００７】
さらには、各プロジェクタによる表示画像の境界部分を重ね合わせて重なり領域を形成することにより、各プロジェクタによる表示画像の境界を視聴者に意識させない表示が可能となる。これらは、先に述べたＣＲＴディスプレイや液晶パネル型ディスプレイ、プラズマディスプレイなどの、直視型ディスプレイには無い特徴である。
【０００８】
しかし、重なり領域を意識させないためには、各プロジェクタによる表示画像を滑らかに接続する必要がある。それには、微妙な調整が必要であるか、あるいは、複雑な信号処理が必要である。またその状態を安定して維持することも必要である。
このような問題を解決する技術は従来から種々提案されている（例えば、特許文献１〜３参照）。
【０００９】
特許文献１に開示された技術（第１の従来技術という）は、図１５に示すように、個々
のプロジェクタＰＪ１，ＰＪ２の表示する範囲を、その表示境界に配置された遮光板ＳＧを用いて分断することにより、固定の表示サイズを有したディスプレイと同等の表示を実現するものである。これにより、少なくとも、個々のプロジェクタＰＪ１，ＰＪ２の表示範囲は、スクリーンＳＣＲ上で安定して維持されることになる。
【００１０】
また、特許文献２に開示された技術（第２の従来技術という）は、図１６に示すように、プロジェクタＰＪ１，ＰＪ２の表示光の光路中に遮光板ＳＧを置くことにより、その表示範囲を制限するものである。第２の従来技術によれば、プロジェクタＰＪ１，ＰＪ２からの投射画像の一部に重なり領域を有するようにしているので、表示境界を見え難くし、表示の品質を改善できる効果が得られる。
【００１１】
特許文献３に開示された技術（第３の従来技術という）は、図１７に示すように、第２の従来技術と同様、プロジェクタＰＪ１，ＰＪ２からの投射画像の一部に重なり領域を有するようにしている。また、第３の従来技術は、スクリーンＳＣＲに投射された投射画像の状態をカメラなどの画像入力手段３００により取得し、それをフィードバックして画像処理により重なり領域の明るさを調整するものである。これは、フィードバック処理が安定して動作する限り、表示位置に多少の変動が起こったとしても、安定した表示が得られると言う効果がある。
【００１２】
【特許文献１】特開平１１−３４１４０３号公報
【特許文献２】特開２００２−１４８７１０号公報
【特許文献３】特開２００６−７４８０５号公報
【発明の開示】
【発明が解決しようとする課題】
【００１３】
しかしながら、第１〜第３の従来技術には大きな課題が残る。すなわち、第１の従来技術においては、個々のプロジェクタの表示が完全に分断されることになるため、その境界が明確に視認されると言う問題がある。これは、第２の従来技術及び第３の従来技術のように、表示を重ね合わせることによって各プロジェクタの表示画像の境界を見え難くしたディスプレイと比較すると表示品質において劣るものとなる。
【００１４】
また、第２の従来技術においては、各プロジェクタＰＪ１，ＰＪ２の投射光学系の近傍に遮光板を設置する構成となっているために、それらの位置調整、その維持が複雑になると言う問題がある。遮光板は、表示領域の制限と同時に、重なり領域におけるそれぞれのプロジェクタの出力への重み付けになるため、きわめて高精度に位置調整される必要がある。しかし、第２の従来技術は、各プロジェクタＰＪ１，ＰＪ２の投射光学系の近傍に遮光板が設置される構成であるため、いわゆる「光てこ」の原理により、その微小な位置変化が、スクリーン上では大きな変化となってしまうので、位置調整が難しいという問題がある。
【００１５】
また、第３の従来技術においては、高度な、かつ安定したフィードバック処理を行わなければならないと言う問題がある。例えば、スクリーン状態を監視するカメラに異常が発生すれば、表示全体が破綻してしまう。また、カメラ自身の異常ではなくとも、例えば、外乱光の影響をどのように排除するか、あるいはカメラの撮像範囲中の障害物をどのように排除するかなどにおいて、非常に高度な処理が必要とされる。
【００１６】
そこで本発明は、遮光板を設置する際の位置調整及び設置したあとの設置状態の維持が容易で、隣接する投射画像を滑らかに接続可能とし、また、スクリーン状の投射状態を監視して結果をフィードバックするという信号処理も不要とするマルチディスプレイシステム及びマルチディスプレイシステムに用いられる遮光装置を提供する目的とする。
【課題を解決するための手段】
【００１７】
（１）本発明のマルチディスプレイシステムは、複数のプロジェクタから投射される投射画像のうち隣接する投射画像の一部に重なり領域を有するように前記複数のプロジェクタからの投射画像をスクリーンの投射面に投射するマルチディスプレイシステムであって、前記複数のプロジェクタのうち最も外側に設置された各プロジェクタの投射光学系から前記投射面への各垂線間で、かつ、前記重なり領域に、複数の遮光板を前記投射面に接触した状態で周期的に設けたことを特徴とする。
【００１８】
本発明のマルチディスプレイシステムによれば、各遮光板によって区分される領域（遮光板区分領域という）内において、各プロジェクタの投射画像が所定の面積比で過不足なく配分され、各プロジェクタからの投射画像をその重なり領域において滑らかに接続することができる。また、本発明のマルチディスプレイシステムは、重なり領域における各々の点の表示は１台のプロジェクタによって行われるものであるため、複数のプロジェクタの投射画像を重ねて表示する方式のように、表示の重なりにより明るさが増大して重なり領域が目立ってしまうということがなくなる。
【００１９】
また、本発明のマルチディスプレイシステムにおいては、最も外側に設置された各プロジェクタの投射光学系から投射面への各垂線よりも外側の領域には遮光板が設置されないので、表示画面の端部を表示するプロジェクタの前記垂線よりも外側の投射画像が遮光板で遮光されてしまうことがなくなり、表示画面の端部を表示するプロジェクタの投射画像が不完全な表示となるのを防ぐことができる。
【００２０】
また、本発明のマルチディスプレイシステムにおいては、各遮光板区分領域内における各プロジェクタからの投射画像の面積比は、遮光板の間隔、大きさが適切に設計されている限り、実質的にプロジェクタ・スクリーン間距離、プロジェクタ設置間隔によって定まる。これは精度を要する微調整とは異なり相対的に大きな量の調整であり、プロジェクタの投射光学系の近傍に遮光板を設ける従来の方式に比べて、遮光板の高精度な位置調整が不要となり、遮光板を設置する際の位置調整及び設置したあとの設置状態の維持が容易となる。また、スクリーンの投射状態を監視して結果をフィードバックするといった複雑な画像処理を行う必要もなくなる。
【００２１】
また、本発明のマルチディスプレイシステムにおいては、遮光板をスクリーンの投射面に接触した状態で設けることにより、遮光板がスクリーン面を保持する構造物として機能することになり、大画面のスクリーンを容易に構築することができ、しかも、スクリーンの張り具合を長期間適切な状態に保持することができるので、スクリーンの保守を容易にすることができる。
【００２２】
（２）前記（１）に記載のマルチディスプレイシステムにおいては、前記複数の各遮光板における遮光に寄与する端点のうち前記投射面から前記垂線に沿った方向において最遠の端点と前記投射面との間の距離を遮光板有効高さＨとし、前記複数の遮光板の隣り合う遮光板において各遮光板における遮光に寄与する端点のうち前記投射面から前記垂線に沿った方向において最遠の端点間の距離を有効開口長Ｐとしたとき、前記遮光板有効高さＨ及び前記有効開口長Ｐは、前記プロジェクタと前記投射面との間の距離がＤ、前記複数のプロジェクタの設置間隔がＬである場合、Ｄ／Ｌ＝Ｈ／Ｐの関係が得られるように設定されることが好ましい。
このように、有効開口長Ｐ及び遮光板有効高さＨを、Ｄ／Ｌ＝Ｈ／Ｐの関係が得られるように設定することにより、各遮光板によって区切られる各遮光板区分領域内において各プロジェクタの投射画像を所定の面積比で過不足なく配分することができる。
【００２３】
（３）前記（２）に記載のマルチディスプレイシステムにおいては、前記複数のプロジェクタからの投射画像が前記投射面でマトリクス状に配置される場合、前記遮光板は、格子状に配列されることが好ましい。
このように、遮光板が格子状に配列されることにより、プロジェクタを縦方向及び横方向に複数台設置して大画面画像の表示を可能としたマルチディスプレイシステムにおいても本発明を適用することができる。
【００２４】
（４）前記（３）に記載のマルチディスプレイシステムにおいては、前記格子状に配列された遮光板の横方向に周期的に設けられる遮光板の前記遮光板有効高さと縦方向に周期的に設けられる遮光板の前記遮光板有効高さとを等しくすることが好ましい。
これは、横方向の遮光板の遮光板有効高さと縦方向の遮光板の遮光板有効高さとが異なると、縦方向及び横方向の双方の遮光板による影が干渉してしまう可能性があるからである。これに対処するためには、横方向の遮光板の遮光板有効高さと縦方向の遮光板の遮光板有効高さを等しくすることが好ましい。これによって、縦方向及び横方向の双方の遮光板による影の干渉を防ぐことができる。
【００２５】
（５）前記（１）〜（４）に記載のマルチディスプレイシステムにおいては、前記重なり領域が前記隣接する投射画像との間で各投射画像の５０％以上に設定されている場合、前記複数のプロジェクタのうち最も外側に設置された各プロジェクタを除くプロジェクタからの投射画像の表示を、前記各垂線間のみに制限する投射画像表示制限を行うことが好ましい。
このような投射画像表示制限を行うことによって、重なり領域が前記隣接する投射画像との間で各投射画像の５０％以上に設定されている場合、前記各垂線の外側の領域（遮光板が設けられていない表示画面端部の領域）において複数のプロジェクタからの投射画像が重なって表示されるのを防ぐことができる。
【００２６】
（６）前記（５）に記載のマルチディスプレイシステムにおいては、前記投射画像表示制限は、前記各垂線間に設置される遮光板の中で最も外側に設けられる遮光板の前記遮光板有効高さを他の遮光板よりも高くすることによって行うことが好ましい。
このような構成とすることによって適切な投射画像表示制限を行うことができ、前記（５）に記載のマルチディスプレイシステムを実現することができる。
【００２７】
（７）前記（５）に記載のマルチディスプレイシステムにおいては、前記投射画像の表示制限は、画像処理によって前記各垂線間よりも外側に投射画像が表示されないように制限することが好ましい。
このような画像処理を施すことによっても適切な投射画像表示制限を行うことができ、前記（５）に記載のマルチディスプレイシステムを実現することができる。
【００２８】
（８）本発明のマルチディスプレイシステムは、複数のプロジェクタから投射される投射画像のうち隣接する投射画像の一部に重なり領域を有するように前記複数のプロジェクタからの投射画像をスクリーンの投射面に投射するマルチディスプレイシステムであって、前記複数のプロジェクタのうち最も外側に設置された各プロジェクタの投射光学系から前記投射面への各垂線間で、かつ、前記重なり領域に、複数の遮光板を前記投射面から所定の間隙を有して周期的に設けたことを特徴とする。
【００２９】
本発明のマルチディスプレイシステムによれば、前記（１）に記載のマルチディスプレイシステムで得られる効果と同様の効果が得られるほか、本発明のマルチディスプレイシステムにおいては、スクリーンの近傍で、かつ、スクリーンの投射面に対して所定の間隙を有して遮光板を設けることにより、遮光板の底面の影がスクリーンの投射面に生じるのを防ぐことができる効果が得られる。なお、（８）に記載のマルチディスプレイシステム
においても、前記（３）〜（７）に記載のマルチディスプレイシステムの特徴を有することが好ましい。
【００３０】
（９）前記（８）に記載のマルチディスプレイシステムにおいては、前記複数の各遮光板における遮光に寄与する端点のうち前記投射面から前記垂線に沿った方向において最遠の端点と前記投射面との間の距離を遮光板有効高さＨとし、前記複数の遮光板の隣り合う遮光板において各遮光板における遮光に寄与する端点のうち前記投射面から前記垂線に沿った方向において最遠の端点間の距離を有効開口長Ｐとしたとき、前記遮光板有効高さＨ及び前記有効開口長Ｐは、前記プロジェクタと前記投射面との間の距離がＤ、前記複数のプロジェクタの設置間隔がＬである場合、Ｄ／Ｌ＝Ｈ／Ｐの関係が得られるように設定され、かつ、前記遮光板の前記投射面に対向する端面と前記投射面との間隙をｄ、前記遮光板の前記投射面に対向する端面の前記投射面に沿う方向の寸法を遮光板有効厚さｔとしたとき、前記間隙ｄ及び遮光板有効厚さｔは、前記プロジェクタと前記投射面との間の距離がＤ、前記複数のプロジェクタの設置間隔がＬである場合、Ｄ／Ｌ＝ｄ／ｔの関係が得られるように設定されることが好ましい。
【００３１】
このように、前記有効開口長Ｐ及び遮光板有効高さＨを、Ｄ／Ｌ＝Ｈ／Ｐの関係が得られるように設定することにより、各遮光板によって区切られる各遮光板区分領域内において各プロジェクタの投射画像を所定の面積比で過不足なく配分することができる。また、前記遮光板の前記投射面に対向する端面と前記投射面との間隙ｄ及び前記遮光板有効厚さｔを、Ｄ／Ｌ＝ｄ／ｔの関係が得られるように設定することにより、遮光板の底面に対向する投射面においても、隣り合うプロジェクタからの投射画像を適切な面積比で配分することができるので、遮光板の底面の影が投射面に生じるのを防ぐことができる。
【００３２】
（１０）本発明のマルチディスプレイシステムに用いられる遮光装置は、複数のプロジェクタから投射される投射画像のうち隣接する投射画像の一部に重なり領域を有するように前記複数のプロジェクタからの投射画像をスクリーンの投射面に投射するマルチディスプレイシステムに用いられる遮光装置であって、複数の遮光板を有し、前記複数の遮光板が、前記複数のプロジェクタのうち最も外側に設置された各プロジェクタの投射光学系から前記投射面への各垂線間で、かつ、前記重なり領域に前記投射面に接触した状態で周期的に設けられることを特徴とする。
【００３３】
このような遮光装置をマルチディスプレイシステムにおいて用いることにより、前記（１）に記載のマルチディスプレイシステムを実現することができる。なお、（１０）に記載のマルチディスプレイシステムに用いられる遮光装置においても、前記（２）〜（７）に記載のマルチディスプレイシステムの特徴を有することが好ましい。
【００３４】
（１１）本発明のマルチディスプレイシステムに用いられる遮光装置は、複数のプロジェクタから投射される投射画像のうち隣接する投射画像の一部に重なり領域を有するように前記複数のプロジェクタからの投射画像をスクリーンの投射面に投射するマルチディスプレイシステムに用いられる遮光装置であって、複数の遮光板を有し、前記複数の遮光板が、前記複数のプロジェクタのうち最も外側に設置された各プロジェクタの投射光学系から前記投射面への各垂線間で、かつ、前記重なり領域に前記投射面から所定の間隙を有して周期的に設けられることを特徴とする。
【００３５】
このような遮光装置をマルチディスプレイシステムにおいて用いることにより、前記（１）に記載のマルチディスプレイシステムを実現することができる。なお、（１１）に記載のマルチディスプレイシステムに用いられる遮光装置においても、前記（２）〜（７）に記載のマルチディスプレイシステムの特徴を有することが好ましい。
【発明を実施するための最良の形態】
【００３６】
以下、本発明の実施形態について説明する。なお、本発明の実施形態に係るマルチディスプレイシステムは、プロジェクタをスクリーンの背面側に設置する背面投射型のマルチディスプレイシステムを例にとって説明する。
【００３７】
[実施形態１]
図１は実施形態１に係るマルチディスプレイシステムの基本構成を模式的に示す図である。なお、図１においては、説明の簡単化のため、プロジェクタの台数は２台（プロジェクタＰＪ１，ＰＪ２とする）であるとする。そして、これらプロジェクタＰＪ１，ＰＪ２からの投射画像がスクリーンＳＣＲ上で重なり領域を有するように投射されるものとする。
【００３８】
また、各プロジェクタＰＪ１，ＰＪ２はスクリーンＳＣＲの投射面１０（プロジェクタＰＪ１，ＰＪ２からの投射画像が投射される側の面）に対してそれぞれ平行、すなわち、プロジェクタＰＪ１の例えば投射光学系から投射面１０への垂線の長さとプロジェクタＰＪ２の例えば投射光学系から投射面１０への垂線の長さは等しくなるように設置されているものとする。
【００３９】
実施形態１に係るマルチディスプレイシステムは、図１に示すように、スクリーンＳＣＲの投射面１０に遮光装置２０が設けられている。遮光装置２０は、重なり領域を目立ちにくくするための複数の板状の遮光板ＳＧを有した構成となっている。そして、これら遮光板ＳＧは、投射面１０における投射画像の重なり領域の所定範囲内に投射面１０に接触した状態で所定の間隔を有して周期的に設けられる。
【００４０】
なお、実施形態１に係るマルチディスプレイシステムにおいては、遮光板ＳＧの厚さ（遮光板ＳＧの端面の投射面１０に沿う方向の寸法）は無視して考えるものとする。これは、多くの大画面表示用マルチディスプレイシステムにおいて用いられる遮光板の厚さは実質的に無視することができるからであり、また、厚さを無視できる遮光板であっても実用上必要とされる強度を得ることが可能であるからである。
【００４１】
また、遮光板ＳＧの遮光板有効高さＨ及び隣り合う遮光板との間の有効開口長Ｐは、プロジェクタＰＪ１，ＰＪ２の例えば投射光学系から投射面１０への垂線の長さＤ（プロジェクタ・スクリーン間距離Ｄという）と、プロジェクタＰＪ１とプロジェクタＰＪ２の設置間隔Ｌ（プロジェクタ設置間隔という）とに基づいて設定される。なお、プロジェクタ設置間隔Ｌは、プロジェクタＰＪ１，ＰＪ２の例えば投射光学系間の距離である。
【００４２】
なお、遮光板有効高さＨとは、各遮光板における遮光に寄与する端点のうち投射面１０から前記垂線に沿った方向において最遠の端点と投射面１０との間の距離であるとする。
また、有効開口長Ｐとは、隣り合う遮光板において各遮光板における遮光に寄与する端点のうち投射面１０から前記垂線に沿った方向において最遠の端点間の距離（開口長さ）であるとする。
【００４３】
実施形態１に係るマルチディスプレイシステムにおいては、「各遮光板における遮光に寄与する端点のうち投射面１０から前記垂線に沿った方向において最遠の端点」は、遮光板ＳＧの先端（投射面１０に接する側の端部と反対側の端部）であり、また、遮光板ＳＧはスクリーンＳＣＲの投射面１０に接触して設けられているので、遮光板有効高さＨは、遮光板ＳＧそのものの高さである。また、有効開口長Ｐは、実施形態１に係るマルチディスプレイシステムにおいては、遮光板の厚みを無視しているので、各遮光板ＳＧの設置周期と同じと考えることができる。
【００４４】
ここで、プロジェクタ・スクリーン間距離をＤ、プロジェクタ設置間隔をＬとしたとき、
Ｄ／Ｌ＝Ｈ／Ｐ        （１）
の関係が得られるように、遮光板有効高さＨ、有効開口長Ｐを設定する。なお、（１）式は遮光板有効高さＨ、有効開口長Ｐに比較して、プロジェクタ・スクリーン間距離Ｄは十分に大きな値であるとし、また、各遮光板ＳＧによって区分された投射面１０上の領域（遮光板区分領域）内においては、プロジェクタＰＪ１，ＰＪ２からの投射光は平行光であると近似する。
【００４５】
図２は図１の各遮光板ＳＧの１周期分を拡大して示す図である。なお、図２においては、２つの遮光板ＳＧに対し、図示の左側の遮光板を遮光板ＳＧ１、右側の遮光板を遮光板ＳＧ２として説明する。
【００４６】
図２に示すように、プロジェクタＰＪ１の投射画像が遮光板ＳＧ１により遮られる領域α１は、プロジェクタＰＪ２による投射画像が表示され、プロジェクタＰＪ２の投射画像が遮光板ＳＧ２により遮られる領域α２は、プロジェクタＰＪ１による投射画像が表示される。このように、上記（１）式の関係が得られるように遮光板有効高さＨと有効開口長Ｐを設定することにより、遮光板ＳＧ１，ＳＧ２によって区分される遮光板区分領域内では、プロジェクタＰＪ１，ＰＪ２からのそれぞれの投射画像が所定の面積比で過不足なく配分される。
【００４７】
なお、図２からも明らかであるように、プロジェクタＰＪ１，ＰＪ２からの投射画像の重なり領域においては、各遮光板ＳＧ１，ＳＧ２により区分された遮光板区分領域内の各々の点について見れば、各々の点は１台のプロジェクタのみにより表示される。つまり、前述した第２の従来技術及び第３の従来技術のように、重なり領域における投射画像の明るさを均一にするために複数のプロジェクタからの投射画像に重み付けを行ってそれぞれの投射画像を重ねて表示するものとは異なり、本発明では、各遮光板ＳＧ１，ＳＧ２による遮光板区分領域内では、各プロジェクタの投射画像が所定の面積比で過不足なく配分される。
【００４８】
このように、プロジェクタＰＪ１，ＰＪ２からの投射画像の重なり領域における遮光板区分領域内の各々の点について見れば、各々の点は１台のプロジェクタのみにより表示されるので、表示の重なりにより、重なり領域の明るさが他の領域に比べ明るさ強調され、重なり領域が目立ってしまうということがなくなる。
【００４９】
図３は各遮光板によって区切られる各遮光板区分領域内においてプロジェクタＰＪ１，ＰＪ２からの投射画像が所定の面積比で過不足なく配分されることを説明する図である。
図３に示すように、三角形ＡＢＣと三角形ａｂＣとは相似形であり、その比率はＨ／Ｄである。このとき、ＰはＬ×Ｈ／Ｄである。つまり、Ｐを遮光板ＳＧ１，ＳＧ２の設置周期（有効開口長）、Ｈを遮光板の高さ（遮光板有効高さ）とすれば、図３に示すような相似形の三角形ＡＢＣと三角形ａｂＣが各頂点位置Ｃにおいて形成される。これにより、プロジェクタＰＪ１とプロジェクタＰＪ２からの投射画像は、各遮光板区分領域内において投射面１０上に存在する各頂点位置Ｃに応じた面積比で配分される。
【００５０】
図４は投射画像を５０％以上重ねるように２台のプロジェクタを配置した場合について説明する図である。なお、図４は横方向に並べられた多数のプロジェクタのうちの隣り合うある２つのプロジェクタＰＪ１，ＰＪ２について説明する図である。
図４において、プロジェクタＰＪ１，ＰＪ２から投射面１０への垂線Ｑ１，Ｑ２の区間β２（区間β２の長さはプロジェクタ設置間隔Ｌに相当するものとする）内の各遮光板ＳＧによる各遮光板区分領域内は、２台のプロジェクタＰＪ１，ＰＪ２からの投射画像が所
定の面積比で過不足なく配分される。しかし、垂線Ｑ１の外側（図示の左側）及び垂線Ｑ２の外側（図示の右側）の区間β１，β３においては、単独のプロジェクタによる表示となる。
【００５１】
すなわち、図４の場合は、投射画像が５０％以上の重なり領域を有するように２台のプロジェクタを配置しているので、プロジェクタＰＪ１の最大投射範囲（図４における実線で示す）は垂線Ｑ２よりも外側（図示の右側）にまで達し、同様に、プロジェクタＰＪ２の最大投射範囲（図４における実線で示す）は、垂線Ｑ１よりも外側（図示の左側）にまで達するような設定となっている。しかし、垂線Ｑ２より外側の区間β２においては、プロジェクタＰＪ１からの投射画像は、垂線Ｑ２よりも外側の区間β２に設けられた遮光板ＳＧにより遮られて投射面１０には到達せず、同様に、垂線Ｑ１より外側の区間β１においては、プロジェクタＰＪ２からの投射画像は、垂線Ｑ１よりも外側の区間β１に設けられた遮光板ＳＧにより遮られて投射面１０には到達しない。
【００５２】
したがって、垂線Ｑ１の外側（図示の左側）及び垂線Ｑ２の外側（図示の右側）の区間β１，β３においては、単体のプロジェクタによる表示となる。このように、垂線Ｑ１の外側の区間β１では、プロジェクタＰＪ１のみによる投射画像が投射され、垂線Ｑ２の外側の区間β３では、プロジェクタＰＪ２のみによる投射画像が投射されるが、それぞれの区間β１，β３に設けられた遮光板ＳＧによる影が生じてプロジェクタＰＪ１，ＰＪ２からの投射画像は区間β１，β２において不完全な表示となる。したがって、図４においては、スクリーンＳＣＲにおける有効表示領域は、垂線Ｑ１，Ｑ２の内側の区間β２のみということになる。
【００５３】
なお、図４においては２台のプロジェクタのみについて示したが、プロジェクタＰＪ１，ＰＪ２の左右方向にさらに他のプロジェクタがそれぞれの投射画像を５０％以上重ねるように配置されているような構成であっても、表示画面の端部については、必ず１台のみのプロジェクタによる投射画像での表示となる。
【００５４】
このため、表示画面の端部（図４における区間β１，β３に対応する）では、当該端部に設けられた遮光板ＳＧによる影が生じて不完全な表示となる。これに対処するには、遮光板を設ける区間（遮光板設置領域という）を、図４においては区間β２（垂線Ｑ１，Ｑ２間）のみとすることが考えられるが、そうすると、投射画像を５０％以上重ねる場合、区間β１，β３において、プロジェクタＰＪ１，ＰＪ２からの投射画像が重なって表示されてしまうこととなる。
このように、表示画面の端部においては、様々な不具合が生じる可能性があり、これに対処するための処理（表示画面端部処理と呼ぶことにする）を適切に行う必要がある。
【００５５】
図５は実施形態１に係るマルチディスプレイシステムにおける表示画面端部処理（その１）を説明する図である。図５に示すマルチディスプレイシステムは、３台のプロジェクタＰＪ１，ＰＪ２，ＰＪ３を横方向に並べ、各プロジェクタＰＪ１，ＰＪ２，ＰＪ３からの投射画像をそれぞれ５０％以上重ねて表示を行う場合である。
また、図５に示すマルチディスプレイシステムは、スクリーンＳＣＲにおける有効表示領域（β０とする）を、両端に設置されたプロジェクタＰＪ１，ＰＪ３から投射面１０への垂線Ｑ１，Ｑ３間の範囲に限定した場合である。
【００５６】
マルチディスプレイシステムを図５のような構成とした場合は、有効表示領域β０全体すなわち垂線Ｑ１，Ｑ３間全体に遮光板を設置することが可能となる。なお、図５においては、スクリーンＳＣＲの有効表示領域β０よりも外側に光が漏れないように遮光部材でなる筐体３０が設けられる。
【００５７】
マルチディスプレイシステムを図５のような構成とすることによって、有効表示領域β０内においては、各遮光板ＳＧによって区切られる各遮光板区分領域内において、重なり領域を有した投射を行うプロジェクタのそれぞれの投射画像が所定の面積比で過不足なく配分される。
【００５８】
すなわち、垂線Ｑ１と垂線Ｑ２の区間β２における各遮光板区分領域内においては、プロジェクタＰＪ１，ＰＪ２のそれぞれの投射画像が所定の面積比で過不足なく配分され、垂線Ｑ２と垂線Ｑ３の区間β３における各遮光板区分領域内においては、プロジェクタＰＪ２，ＰＪ３のそれぞれの投射画像が所定の面積比で過不足なく配分される。このように、適切な表示が行われる領域のみが有効表示領域β０となるような設定としているので、不完全な表示となる領域をなくすことができる。
なお、図５のマルチディスプレイシステムは、実質的に１台のプロジェクタの表示と同等な画面サイズとなるが、このような構成を横方向さらには縦方向に繰り返すことで、より大きな表示画面を構成することができる。
【００５９】
図６は実施形態１に係るマルチディスプレイシステムにおける表示画面端部処理（その２）を説明する図である。図６に示すマルチディスプレイシステムは、２台のプロジェクタＰＪ１，ＰＪ２を横方向に並べ、各プロジェクタＰＪ１，ＰＪ２からの投射画像をそれぞれ５０％以上重ねて表示を行う場合である。
【００６０】
また、図６に示すマルチディスプレイシステムは、スクリーンＳＣＲにおける有効表示領域β０を、両端に位置するプロジェクタＰＪ１，ＰＪ３からスクリーンＳＣＲへの垂線Ｑ１，Ｑ２の間の範囲以上で、かつ、２つのプロジェクタＰＪ１，ＰＪ２による最大投射範囲以内とした場合である。また、図６に示すマルチディスプレイシステムは、遮光板ＳＧが設置される遮光板設置領域は、垂線Ｑ１，Ｑ２の間としている。
【００６１】
このように、図６のマルチディスプレイシステムにおいては、遮光板ＳＧにより所定の面積比で配分を行う領域（遮光板設置領域に対応する）と単体のプロジェクタで表示を行う領域とが存在する。
【００６２】
図６に示すマルチディスプレイシステムは、プロジェクタＰＪ１，ＰＪ２からの投射画像をそれぞれ５０％以上重ねるようにし、また、有効表示領域β０がプロジェクタＰＪ１，ＰＪ２による最大投射範囲以内としているので、表示画面端部処理として、遮光板設置領域以外の領域でプロジェクタＰＪ１，ＰＪ２からの投射画像が重ならないような投射画像表示制限処理と、プロジェクタＰＪ１，ＰＪ２の投射画像が有効表示領域β０の外側に表示されないようにする投射画像表示制限処理を行うようにする。
【００６３】
図６においては、異なる２つの表示画面端部処理を用いた例が示されている。その１つはソフトウエア的な画像処理による表示画面端部処理であり、もう１つは遮光板による表示画面端部処理である。図６においては、表示画面端部処理として、垂線Ｑ１より外側では画像処理による投射画像表示制限処理を行い、垂線Ｑ２より外側では遮光板による投射画像表示制限処理を行う例が示されている。
【００６４】
すなわち、画像処理による投射画像表示制限処理として、まず、プロジェクタＰＪ２からの投射画像が垂線Ｑ１よりも外側（図示の左側）に表示されないように画像処理を施す。また、プロジェクタＰＪ１の投射画像のうち有効表示領域β０よりも外側に投射画像が表示されないように画像処理を施す。
【００６５】
一方、遮光板による投射画像表示制限処理として、まず、プロジェクタＰＪ１からの投射画像が垂線Ｑ２よりも外側（図示の右側）に表示されないように特別な遮光板（第１端
部処理用遮光板ＳＧａという）を設け、この第１端部処理用遮光板ＳＧａにより、プロジェクタＰＪ１の投射画像が有効表示領域よりも外側に投射されるのを防いでいる。また、プロジェクタＰＪ２の投射画像が有効表示領域よりも外側に表示されないように特別な遮光板（第２端部処理用遮光板ＳＧｂという）を設け、この第２端部処理用遮光板ＳＧｂにより、プロジェクタＰＪ２の投射画像が有効表示領域よりも外側に投射されるのを防いでいる。
【００６６】
マルチディスプレイシステムを図６のような構成とすることによって、表示画面端部処理を適切に行うことができる。すなわち、有効表示領域β０内における各遮光板区分領域内においては、プロジェクタＰＪ１，ＰＪ２のそれぞれの投射画像が所定の面積比で過不足なく配分される。また、垂線Ｑ１の外側においては、プロジェクタＰＪ１による単独の表示がなされ、垂線Ｑ２の外側においては、プロジェクタＰＪ２による単独の表示がなされるが、これらの区間には遮光板は設けられていないので、それぞれのプロジェクタＰＪ１，ＰＪ２により適切な表示がなされる。また、有効表示領域β０よりも外側での表示が制限されるため、有効表示領域β０内のみの表示が可能となる。
【００６７】
なお、図６に示すマルチディスプレイシステムは、２台のプロジェクタの場合について説明したが、３台以上のプロジェクタを用いた場合にも同様の表示画面端部処理が可能となる。また、図６の例では、異なる２つの表示画面端部処理を１つの図面で並列的に説明するようにしたので、１つのマルチディスプレイシステムにおいて、手法の異なる表示画面端部処理を用いた例が示されているが、１つのマルチディスプレイシステムにおいて手法の異なる表示画面端部処理を採用する必要は特にないことは勿論である。
【００６８】
図７は実施形態１に係るマルチディスプレイシステムにおける表示画面端部処理（その３）を説明する図である。図７に示すマルチディスプレイシステムは、３台のプロジェクタＰＪ１，ＰＪ２，ＰＪ３を横方向に並べ、各プロジェクタＰＪ１，ＰＪ２，ＰＪ３からの投射画像をそれぞれ５０％未満で重ねて表示を行う場合である。
【００６９】
また、図７に示すマルチディスプレイシステムは、スクリーンＳＣＲにおける有効表示領域β０を、プロジェクタＰＪ１，ＰＪ２，ＰＪ３の投射画像の重なり領域以上で、かつ、３つのプロジェクタＰＪ１，ＰＪ２，ＰＪ３による最大投射範囲と同じかそれ以上とした場合である。
【００７０】
図７のマルチディスプレイシステムにおいては、図６と同様、遮光板ＳＧにより面積比による配分を行う領域（遮光板設置領域に対応する）と単体のプロジェクタで表示を行う領域とが存在する。なお、図７の場合は、各プロジェクタＰＪ１，ＰＪ２，ＰＪ３からの投射画像をそれぞれ５０％未満で重ねるようにしているので、プロジェクタＰＪ１，ＰＪ２の重なり領域は、各プロジェクタＰＪ１，ＰＪ２の投射光学系からスクリーンＳＣＲへの垂線Ｑ１，Ｑ２の内側に存在し、プロジェクタＰＪ２，ＰＪ３の重なり領域は、各プロジェクタＰＪ２，ＰＪ３の投射光学系からスクリーンＳＣＲへの垂線Ｑ２，Ｑ３間に存在する。
【００７１】
このように、図７に示すマルチディスプレイシステムにおいては、各重なり領域が遮光板設置領域となり、プロジェクタＰＪ１，ＰＪ２のそれぞれの投射画像は、当該重なり領域に設けられた各遮光板ＳＧにより区分された各遮光板区分領域内で所定の面積比により過不足なく配分され、同様に、プロジェクタＰＪ２，ＰＪ３のそれぞれの投射画像は、当該重なり領域に設けられた各遮光板ＳＧにより区分された各遮光板区分領域内で所定の面積比により過不足なく配分される。また、重なり領域以外の領域においては、遮光板は設けられないので、各プロジェクタＰＪ１，ＰＪ２，ＰＪ３からの各投射画像が適切に表示される。
【００７２】
図８は複数のプロジェクタを２次元的な配列としてスクリーンＳＣＲの投射面上で各プロジェクタの投射画像をマトリクス状に配置した場合について説明する図である。図８に示すように、スクリーンＳＣＲの投射面上で各プロジェクタの投射画像をマトリクス状に配置する場合であっても、遮光装置２０を構成する遮光板ＳＧを格子状に配列することによって、複数のプロジェクタを１次元的な配列とした場合と同様の遮光動作が可能となる。
【００７３】
すなわち、（１）式の関係が得られるように、各遮光板ＳＧを格子状の配列とすることにより、複数プロジェクタ（図８では４台のプロジェクタＰＪ１〜ＰＪ４）の投射画像は、縦横に設けられた遮光板により区分された各遮光板区分領域内において所定の面積比で過不足なく配分される。なお、図８においては、ある１つの遮光板区分領域内における各プロジェクタＰＪ１〜ＰＪ４の投射画像の表示状態が示されている。
【００７４】
このように、各プロジェクタＰＪ１〜ＰＪ４からの投射画像のうちの隣接する投射画像に形成される重なり領域に図８に示すように格子状に遮光板ＳＧを設けることにより、縦横に設けられた遮光板により区分された各遮光板区分領域内において、４台のプロジェクタＰＪ１〜ＰＪ４の投射画像が過不足なく所定の面積比で配分される。なお、図８では縦方向に２台、横方向に２台の合計４台のプロジェクタの例であるが、縦方向及び横方向により多数のプロジェクタを配置した場合も同様に実施できる。
【００７５】
なお、遮光板ＳＧを格子状の配列とする場合、縦方向及び横方向の遮光板ＳＧの高さ、すなわち、縦方向の遮光板の遮光板有効高さＨと横方向の遮光板の遮光板有効高さＨとを等しくすることが好ましい。縦方向の遮光板の遮光板有効高さＨと横方向の遮光板の遮光板有効高さＨが等しくないと、縦方向及び横方向の双方の遮光板による影が干渉する可能性があり、それによって、各プロジェクタからの投射画像が適切な面積比で配分されなくなる場合がある。
ところで、遮光板有効高さＨをある特定の値とすることは、遮光板の有効開口長Ｐ（設置周期）を調整することによって容易に行えるので、縦方向の遮光板の遮光板有効高さＨと横方向の遮光板の遮光板有効高さＨを等しくすることは容易に実現できる。
【００７６】
図９は４台のプロジェクタを２次元配列した場合のプロジェクタと遮光装置２０との関係を具体的に示す図である。図９は図５の構成を２次元配列とした場合の構成例を示すものである。なお、図９では図５に示したスクリーンＳＣＲや周囲を囲う筐体３０などの図示は省略されている。
【００７７】
図９に示すマルチディスプレイシステムにおいて、４台のプロジェクタＰＪ１〜ＰＪ４の投射画像は、縦方向および横方向それぞれにおいて５０％ずつ重ねて表示されるものとする。また、図中の縦方向の太線及び横方向の太線は、遮光板ＳＧを模式的に示す。図９のマルチディスプレイシステムにおいて、それぞれのプロジェクタＰＪ１〜ＰＪ４の投射画像は、縦横それぞれ５０％ずつ重ねて表示されるものであるので、例えば、図９におけるβ１の領域はプロジェクタＰＪ１のみにより、また、β２の領域はプロジェクタＰＪ２のみにより表示される。一方、β３の領域はプロジェクタＰＪ１とプロジェクタＰＪ２とにより、また、β４の領域は、プロジェクタＰＪ１〜ＰＪ４の４台のプロジェクタにより表示されることになる。
【００７８】
ここで、β３の領域はプロジェクタＰＪ１とプロジェクタＰＪ２とにより表示されるものであるが、このβ３の領域には図９に示すように縦方向の遮光板ＳＧが配置されることにより、図６に示したようにプロジェクタＰＪ１とプロジェクタＰＪ２の表示画像は、適切な面積比で配分されることになる。
また、β４の領域は、プロジェクタＰＪ１〜ＰＪ４の４台のプロジェクタにより表示されるものであるが、このβ４の領域には図９に示すように縦横の遮光板が配置されることにより、図８に示したようにプロジェクタＰＪ１〜ＰＪ４の表示画像は、適切な面積比で配分されることになる。
なお、プロジェクタＰＪ１とプロジェクタＰＪ３のような縦方向の重なり領域においては、横方向の遮光板ＳＧが配置され、それによりプロジェクタＰＪ１とプロジェクタＰＪ３の表示画像が適切な面積比で配分されることになる。
マルチディスプレイシステムを図９のような構成とした場合においても、図５と同様の遮光動作が可能となる。
【００７９】
以上説明した実施形態１に係るマルチプロジェクションシステムによれば、マルチディスプレイシステムを構成するプロジェクタ・スクリーン間距離をＤ、プロジェクタ間設置間隔をＬとしたとき、遮光板有効高さＨと有効開口長Ｐ（遮光板の設置周期）を、前記（１）式の関係が得られるように設定することにより、各プロジェクタの投射画像が遮光板による各遮光板区分領域内において所定の面積比で過不足なく配分される。
【００８０】
これにより、実施形態１に係るマルチディスプレイシステムにおいては、各プロジェクタからの投射画像を滑らかに接続することができ、第１の従来技術のように、遮光板によって個々のプロジェクタの表示が完全に分断されることにより投射画像の境界が明確に視認されると言う問題を解決することができる。
【００８１】
また、実施形態１に係るマルチディスプレイシステムにおいては、前述した第２の従来技術及び第３の従来技術のように、投射画像の明るさを均一にするために、複数のプロジェクタからの投射画像に重み付けを行って重ねて表示を行うものとは異なる。すなわち、本発明のマルチディスプレイシステムは、重なり領域における各々の点の表示は１台のプロジェクタによって行われるものであるため、複数のプロジェクタの投射画像を重ねて表示する方式のように明るさが増大して重なり領域が目立ってしまうということがなくなる。
【００８２】
なお、遮光板により区切られる各遮光板区分領域内における各プロジェクタからの投射画像の面積比は、遮光板が適切に設計されている限り、実質的にプロジェクタ・スクリーン間距離Ｄ、プロジェクタ設置間隔Ｌのみによって定まる。これは微調整とは異なり相対的に大きな量の調整であるため、第２の従来技術のように、重なり領域における表示の重み付けのための遮光板位置の高精度な調整は不要となる。また、第３の従来技術のような画像データのフィードバック処理は不要である。
【００８３】
また、実施形態１に係るマルチプロジェクションシステムにおいては、遮光板を、スクリーン面を保持する構造物として機能させることも可能となる。特に、スクリーンＳＣＲ全体を有効表示領域として使用するような場合、スクリーン全体に遮光板が設けられることにより、スクリーン全体をより強固に保持する構造物として機能させることができる。
【００８４】
[実施形態２]
実施形態１では遮光板ＳＧの厚みは無視して考えたが、遮光板ＳＧの厚みが無視できない場合もある。すなわち、図１０に示すように、遮光板ＳＧ（遮光板ＳＧ１，ＳＧ２とする）の厚みｔがスクリーンＳＣＲの投射面１０に影となって現れてしまう場合がある。実施形態２に係るマルチディスプレイシステムはこれに対処するものである。
【００８５】
図１１は実施形態２に係るマルチディスプレイシステムおいてスクリーンの投射面に対する遮光板の位置関係を示す図である。図１１は実施形態１に係るマルチディスプレイシステムの説明で用いた図２に対応するもので、図１１においては、遮光板ＳＧ１，ＳＧ２
がスクリーンＳＣＲの投射面１０に対して非接触状態で設けられている点が図２と異なる。
【００８６】
なお、遮光板ＳＧ１，ＳＧ２の厚さ（遮光板有効厚さという）をｔ、遮光板の投射面１０に対向する端面と投射面１０との間隙をｄとすれば、これら遮光板有効厚さｔ、遮光板の投射面１０に対向する端面と投射面１０との間隙ｄ（遮光板と投射面との間隙ｄという）は、
Ｄ／Ｌ＝ｄ／ｔ              （２）
の関係が得られるように設定される。（２）式において、Ｄはプロジェクタ・スクリーン間距離、Ｌはプロジェクタの設置間隔である（Ｄ，Ｌについては図１参照）。
【００８７】
ここで、遮光板有効厚さｔは、遮光板の投射面１０に対向する端面の投射面１０に沿う方向の寸法としている。
また、遮光板ＳＧ１，ＳＧ２間の有効開口長Ｐは、実施形態１で説明したように、隣り合う遮光板において各遮光板における遮光に寄与する端点のうち投射面１０から前記垂線に沿った方向において最遠の端点間の開口長さとしているが、これを図１１に対応させると、隣り合う遮光板ＳＧ１，ＳＧ２のそれぞれ対向面の先端部（投射面１０と反対側の端部）間の距離であるといえる。これは、「隣り合う遮光板において各遮光板における遮光に寄与する端点のうち投射面１０から前記垂線に沿った方向において最遠の端点」が、図１１においては、「遮光板ＳＧ１，ＳＧ２のそれぞれ対向面の先端部」に相当するからである。
【００８８】
また、遮光板の有効高さＨは、実施形態１で説明したように、各遮光板における遮光に寄与する端点のうち投射面１０から前記垂線に沿った方向において最遠の端点と投射面１０との間の距離としているが、これを図１１に対応させると、遮光板ＳＧ１，ＳＧ２の先端部であり、図１１の場合は、間隙ｄを含む遮光板の高さとなる。なお、図１１の場合の遮光板ＳＧ１，ＳＧ２そのものの高さ（Ｈ’とする）は、Ｈ’＝Ｈ−ｄとなる。
【００８９】
これら有効開口長Ｐと遮光板有効高さＨを、実施形態１で説明した（１）式の関係が得られるように設定し、かつ、遮光板ＳＧ１，ＳＧ２の遮光板有効厚さｔ、遮光板と投射面との間隙ｄを、（２）式の関係が得られるように設定することにより、遮光板ＳＧ１，ＳＧ２の端面（遮光板有効厚さｔを有する端面）に対向する投射面１０上においても、隣り合うプロジェクタＰＪ１，ＰＪ２からの投射画像を適切な面積比で配分することができ、遮光板ＳＧ１，ＳＧ２の端面（遮光板有効厚さｔを有する端面）の影が投射面１０に生じるのを防ぐことができる。
【００９０】
なお、図１１はプロジェクタＰＪ１，ＰＪ２の投射画像が遮光板ＳＧ１，ＳＧ２間の遮光板区分領域内において５０％ずつの面積比で配分された場合であるが、他の遮光板区分領域内においては、当該遮光板区分領域の位置に応じて所定の面積比で投射画像が配分される。
また、図１１は横方向に並べられた２台のプロジェクタの場合についての説明であったが、図８のようにプロジェクタが２次元的に配列された場合も同様に考えることができる。
【００９１】
図１２は図１１における遮光板ＳＧ１，ＳＧ２の縦横比を大きく変化させた例を示す図である。すなわち、遮光板ＳＧ１，ＳＧ２は、図１２に示すように、遮光板有効高さＨ方向の寸法を小さくし、遮光板有効厚さｔ方向の寸法を大きくしたものである。この場合も、遮光板と投射面との間隙をｄ、遮光板有効厚さをｔとすれば、これらｄ，ｔは前記（２）式の関係が得られるように設定される。
【００９２】
また、遮光板ＳＧ１，ＳＧ２間の有効開口長Ｐは、前述したように、隣り合う遮光板において各遮光板における遮光に寄与する端点のうち投射面１０から前記垂線に沿った方向において最遠の端点間の開口長さとしているが、これを図１２に対応させると、隣り合う遮光板ＳＧ１，ＳＧ２のそれぞれ対向する端面の図示上端部間の距離であるといえる。これは、「隣り合う遮光板において各遮光板における遮光に寄与する端点のうち投射面１０から前記垂線に沿った方向において最遠の端点」が、図１２においては、「遮光板ＳＧ１，ＳＧ２のそれぞれ対向する端面の図示上端部」に相当するからである。
【００９３】
また、遮光板の有効高さＨは、前述したように、各遮光板における遮光に寄与する端点のうち投射面１０から前記垂線に沿った方向において最遠の端点と投射面１０との間の距離であるので、図１２の場合は、間隙ｄを含む遮光板の高さとなる。なお、図１２の場合の遮光板ＳＧ１，ＳＧ２そのものの高さ（Ｈ’とする）は、Ｈ’＝Ｈ−ｄとなる。
【００９４】
これら有効開口長Ｐと遮光板有効高さＨを、実施形態１で説明した（１）式の関係が得られるように設定し、かつ、遮光板ＳＧ１，ＳＧ２の遮光板有効厚さｔ、遮光板と投射面との間隙ｄを（２）式の関係が得られるように設定することにより、遮光板ＳＧ１，ＳＧ２の端面（遮光板有効厚さｔを有する端面）に対向する投射面１０上において、隣り合うプロジェクタＰＪ１，ＰＪ２からの投射画像を適切な面積比で配分することができ、遮光板ＳＧ１，ＳＧ２の端面（遮光板有効厚さｔを有する端面）の影が投射面１０に生じるのを防ぐことができる。
【００９５】
なお、図１２はプロジェクタＰＪ１，ＰＪ２の投射画像が遮光板ＳＧ１，ＳＧ２間の遮光板区分領域内において５０％ずつの面積比で配分された場合であるが、他の遮光板区分領域内においては、当該遮光板区分領域の位置に応じて所定の面積比で投射画像が配分される。
また、図１２は横方向に並べられた２台のプロジェクタの場合についての説明であったが、図８のようにプロジェクタが２次元的に配列された場合も同様に考えることができる。
また、遮光板ＳＧ１，ＳＧ２を図１２に示すような構成とすることにより、たとえば、図９に示すように、遮光板を格子状とする場合であっても、加工しやすい形状となり製造が容易となるという利点がある。
【００９６】
図１３は遮光板の断面形状を楔形とした例を示す図である。この場合、遮光板ＳＧ１，ＳＧ２（楔形遮光板ＳＧ１，ＳＧ２という）は、その後端面（幅広端面）が投射面１０に対向するように間隙ｄを有して設置される。また、楔形遮光板ＳＧ１，ＳＧ２の後端面と投射面１０との間隙をｄ、後端面の投射面１０に沿う方向の長さ（遮光板有効厚さ）をｔとすれば、これらｄ，ｔは前記（２）式の関係が得られるように設定される。また、楔形遮光板ＳＧ１，ＳＧ２の先端部（頂点部）の投射面１０からの高さ（遮光板有効高さＨ）と有効開口長Ｐは、前述した（１）式が成立するように設定される。
【００９７】
なお、有効開口長Ｐは、前述したように、隣り合う遮光板において各遮光板における遮光に寄与する端点のうち投射面１０から前記垂線に沿った方向において最遠の端点間の開口長さとしているが、これを図１３に対応させると、隣り合う楔形遮光板ＳＧ１，ＳＧ２の先端部（頂点部）間の距離であるといえる。これは、「隣り合う遮光板において各遮光板における遮光に寄与する端点のうち投射面１０から前記垂線に沿った方向において最遠の端点」が、図１３に示す楔形の遮光板ＳＧ１，ＳＧ２においては、「楔形遮光板ＳＧ１，ＳＧ２の先端部（頂点部）」に相当するからである。
また、遮光板有効高さＨは、図１３に示す楔形遮光板ＳＧ１，ＳＧ２においては、遮光に寄与する楔形遮光板ＳＧ１，ＳＧ２の先端部（頂点部）から投射面１０までの高さである。なお、図１３における楔形の遮光板ＳＧ１，ＳＧ２そのものの高さＨ’は、Ｈ’＝Ｈ
−ｄとなる。
【００９８】
図１３に示すように遮光板を楔形とした場合における遮光動作は、図１１と同様に考えることができるので、その説明は省略する。
【００９９】
図１４は図１３に示した楔形の遮光板の形状を変形させた例を示す図である。図１４に示す遮光板ＳＧ１，ＳＧ２は、その断面が鈍角の頂点を有する扁平型の三角形をなし、三角形の底辺に相当する後端面（幅広端面）が投射面１０に対向するように間隙ｄを有して設置される。そして、図１４に示す遮光板ＳＧ１，ＳＧ２（扁平楔形遮光板ＳＧ１，ＳＧ２と呼ぶことにする）の後端面と投射面１０との間隙をｄ、後端面の投射面１０に双方向の長さ（遮光板有効厚さ）をｔとしたとき、これらｄ，ｔは、前記（２）式の関係が得られるように設定される。
【０１００】
また、有効開口長Ｐは、前述したように、隣り合う遮光板において各遮光板における遮光に寄与する端点のうち投射面１０から前記垂線に沿った方向において最遠の端点間の開口長さとしているが、これを図１４に対応させると、隣り合う楔形遮光板ＳＧ１，ＳＧ２の後端面の左右方向端部間の長さであるといえる。これは、「隣り合う遮光板において各遮光板における遮光に寄与する端点のうち投射面１０から前記垂線に沿った方向において最遠の端点」が、図１４に示す扁平楔形遮光板ＳＧ１，ＳＧ２においては、「扁平楔形遮光板ＳＧ１，ＳＧ２の後端面の左右方向端部」に相当するからである。
【０１０１】
また、遮光板有効高さＨは、前述したように、各遮光板における遮光に寄与する端点のうち投射面１０から前記垂線に沿った方向において最遠の端点と投射面１０との間の距離としているが、これを図１４に対応させると、楔形遮光板ＳＧ１，ＳＧ２後端面の左右方向端部と投射面１０との間の距離であるといえる。これは、「各遮光板における遮光に寄与する端点のうち投射面１０から前記垂線に沿った方向において最遠の端点」が、図１４における扁平楔形遮光板ＳＧ１，ＳＧ２においては、扁平楔形遮光板ＳＧ１，ＳＧ２の後端面の左右方向端部に相当するからである。なお、図１４の場合は、遮光板有効高さＨと間隙ｄとが一致する。
【０１０２】
なお、各遮光板区分領域における遮光動作などについては図１１と同様に考えることができるので、説明は省略する。
【０１０３】
以上説明したように実施形態２に係るマルチディスプレイシステムによれば、実施形態１に係るマルチディスプレイシステムと同様の効果が得られる他、実施形態２においては、スクリーンＳＣＲの投射面１０の近傍で、かつ、スクリーンＳＣＲの投射面１０に対して所定の間隙を有して設けることにより、遮光板の端面の影がスクリーンＳＣＲの投射面１０上に生じるのを防ぐことができるという効果が得られる。
【０１０４】
なお、本発明は上述の実施形態に限られるものではなく、本発明の要旨を逸脱しない範囲で種々変形実施可能となるものである。たとえば、表示画面端面処理の手法は、前述の実施形態に限られるものではなく、他の手法によっても可能となる。また、遮光板の形状の変形例としては、断面形状が楔形に限られるものではない。
【図面の簡単な説明】
【０１０５】
【図１】実施形態１に係るマルチディスプレイシステムの基本構成を模式的に示す図。
【図２】図１の各遮光板の１周期分を拡大して示す図。
【図３】各遮光板によって区切られる各遮光板区分領域内においてプロジェクタＰＪ１，ＰＪ２からの投射画像が所定の面積比で過不足なく配分されることを説明する図。
【図４】投射画像を５０％以上重ねるように２台のプロジェクタを配置した場合について説明する図。
【図５】実施形態１に係るマルチディスプレイシステムにおける表示画面端部処理（その１）を説明する図。
【図６】実施形態１に係るマルチディスプレイシステムにおける表示画面端部処理（その２）を説明する図。
【図７】実施形態１に係るマルチディスプレイシステムにおける表示画面端部処理（その３）を説明する図。
【図８】複数のプロジェクタを２次元的な配列としてスクリーンの投射面上で各プロジェクタの投射画像をマトリクス状に配置した場合について説明する図。
【図９】４台のプロジェクタを２次元配列した場合のプロジェクタと遮光装置２０との関係を具体的に示す図。
【図１０】遮光板の厚みがスクリーンの投射面に影となって現れる例を説明する図。
【図１１】実施形態２に係るマルチディスプレイシステムおいてスクリーンの投射面に対する遮光板の位置関係を示す図。
【図１２】図１１における遮光板の縦横比を大きく変化させた例を示す図。
【図１３】遮光板の断面形状を楔形とした例を示す図。
【図１４】図１３に示した楔形の遮光板の形状を変形させた例を示す図。
【図１５】第１の従来技術について説明する図。
【図１６】第２の従来技術について説明する図。
【図１７】第３の従来技術について説明する図。
【符号の説明】
【０１０６】
１０・・・投射面、２０・・・遮光装置、ＰＪ１，ＰＪ２・・・プロジェクタ、ＳＧ（ＳＧ１，ＳＧ２）・・・遮光板、ＳＣＲ・・・スクリーン、Ｌ・・・プロジェクタ設置間隔、Ｄ・・・プロジェクタ・スクリーン間距離、Ｐ・・・有効開口長、Ｈ・・・遮光板有効高さ、Ｑ１，Ｑ２，Ｑ３・・・垂線、ｔ・・・遮光板有効厚さ、ｄ・・・遮光板と投射面との間隙
【図１】
2008040380.tif 000003
【図２】
2008040380.tif 000004
【図３】
2008040380.tif 000005
【図４】
2008040380.tif 000006
【図５】
2008040380.tif 000007
【図６】
2008040380.tif 000008
【図７】
2008040380.tif 000009
【図１０】
2008040380.tif 000010
【図１１】
2008040380.tif 000011
【図１２】
2008040380.tif 000012
【図１３】
2008040380.tif 000013
【図１４】
2008040380.tif 000014
【図１５】
2008040380.tif 000015
【図１６】
2008040380.tif 000016
【図１７】
2008040380.tif 000017
【図８】
2008040380.tif 000018
【図９】
2008040380.tif 000019